(57)【要約】【課題】  別のレールから取り外し可能な２つのレールを有するスライドレールアセンブリを提供すること。【解決手段】  スライドレールアセンブリは第１のレール、第２のレール及び第３のレールを含む。第２のレールは第１のレールと第３のレールとの間に可動に取り付けられる。第２のレール及び第３のレールは第１のレールに対して動かすことができる。第２のレール及び第３のレールは第１のレールから取り外すことができる。【選択図】  図２
2018187347.tif 000002
【特許請求の範囲】
【請求項１】
第１のブロック要素を備える第１のレールと、
第２のブロック要素を備えるとともに、前記第１のレールに対して可動な第２のレールと、
前記第２のレールに対して可動な第３のレールと、
を含むスライドレールアセンブリであって、
前記第２のレールは前記第１のレールと前記第３のレールとの間に可動に取り付けられ、
前記第２のレールが前記第１のレールに対して第１の方向に沿って第１のオープン位置に動かされた場合、前記第２のブロック要素は、前記第２のレールが前記第１のオープン位置から前記第１の方向に沿って移動するのを防止するために前記第１のブロック要素によってブロックされ、
前記第１のブロック要素及び前記第２のブロック要素のうちの一方は、前記第２のブロック要素がもはや前記第１のブロック要素によってブロックされていない状態にある場合に、前記第２のレールが前記第１のオープン位置から前記第１の方向に沿って移動して前記第１のレールからさらに取り外されるようにするために他方から離れるよう操作されるように構成されている、スライドレールアセンブリ。
【請求項２】
前記第２のブロック要素を駆動して動かすために操作されるよう構成された操作部材をさらに含み、
前記第２のレールは前記第１のレールに対向する貫通孔を含み、前記第２のブロック要素は該貫通口を貫通する、請求項１に記載のスライドレールアセンブリ。
【請求項３】
前記第２のレール及び前記第３のレールにそれぞれ設けられる第３のブロック要素及び第４のブロック要素をさらに含み、
前記第３のレールが前記第２のレールに対して前記第１の方向に沿って第２のオープン位置に動かされると、前記第４のブロック要素は前記第３のレールが前記第２のオープン位置から前記第１の方向に沿って移動するのを防止するために前記第３のブロック要素によってブロックされ、
前記第３のブロック要素及び前記第４のブロック要素のうちの一方は、前記第４のブロック要素が前記第３のブロック要素によってもはやブロックされていない状態にある場合に、前記第３のレールを前記第２のオープン位置から前記第１の方向に沿って前記第２のレールからさらに取り外されるようにするために、他方から遠ざかるよう操作されるように構成されている、請求項１に記載のスライドレールアセンブリ。
【請求項４】
前記第４のブロック要素は前記第３のレールに動作可能に取り付けられ、
前記スライドレールアセンブリは前記第３のレールに動作可能に取り付けられた第５のブロック要素をさらに含み、前記第３のレールが前記第２のレールに対して前記第２のオープン位置に位置している場合、前記第４のブロック要素及び前記第５のブロック要素は前記第３のブロック要素の２つの対向する側にそれぞれ位置する、請求項３に記載のスライドレールアセンブリ。
【請求項５】
前記第２のレールに取り付けられる係合部材をさらに含み、
前記第３のレールが前記第２のレールに対して前記第１の方向に沿って後退位置から第１の所定の位置に動かされると、前記係合部材は、前記第２のレール及び前記第３のレールを前記第１のレールに対して前記第１の方向に沿って同期的に動かすために前記第３のレールと係合するように構成され、
前記第１のレールは解除要素を含み、前記第２のレール及び前記第３のレールが前記第１のレールに対して前記第１の方向に沿って第２の所定の位置に同期的に動かされると、前記解除要素は、前記第３のレールが前記第２のレールに対して前記第１の方向に沿って動かすことができるように前記係合部材を前記第３のレールから外すように構成されている、請求項１に記載のスライドレールアセンブリ。
【請求項６】
前記係合部材は前記第２のレールに枢結され、
前記スライドレールアセンブリは、前記係合部材に弾性力を提供するように構成された弾性部材をさらに含み、
前記第３のレールは第１の壁、第２の壁及び該第１の壁と該第２の壁との間に連結された側壁とを含み、
前記第３のレールが前記第２のレールに対して後退位置に位置する場合、前記係合部材は前記弾性部材の弾性力によって前記第１の壁と当接するように駆動され且つ第１の状態で保持されるように構成され、
前記第３のレールは開口と、該開口に隣接するレール壁とを有し、
前記係合部材は係合部を含み、
前記第３のレールが前記第２のレールに対して前記第１の所定の位置に位置している場合、前記係合部材は、前記弾性部材の弾性力に反応して、前記係合部が前記レール壁に対応する位置に位置するよう前記開口に入るように前記第２のレールに対して前記第１の状態から第２の状態に回転される、請求項５に記載のスライドレールアセンブリ。
【請求項７】
前記第２のレールは前記第１のレールに対向する開口部を含み、
前記係合部材は、前記開口部を貫通する伸長部を含み、
前記解除要素は第１のガイド部を含み、
前記第２のレール及び前記第３のレールが同期的に前記第２の所定の位置に前記第１の方向に沿って動かされるプロセスの間、前記係合部材の伸長部は、前記係合部材を前記第３のレールから外すために前記第１のガイド部によってガイドされる、請求項５に記載のスライドレールアセンブリ。
【請求項８】
前記解除要素はブロック部をさらに含み、
前記第２のレールが前記第１のレールに対して前記第１のオープン位置から第３の所定の位置に前記第１の方向とは反対の第２の方向に沿って動かされると、前記係合部材の伸長部は前記第２のレールが前記第１のレールに対して前記第２の方向に沿って移動するのを防止するために前記ブロック部によってブロックされ、
前記第３のレールが前記第２のレールに対して前記第２の方向に沿って動かされるプロセスの間に、前記係合部材は、前記係合部材の伸長部が前記ブロック部によってもはやブロックされない状態になるように前記第３のレールによって駆動されて移動する、請求項７に記載のスライドレールアセンブリ。
【請求項９】
前記解除要素は第２のガイド部をさらに含み、
前記第２のレールが前記第１のレールに対して前記第１のオープン位置から前記第３の所定の位置に前記第２の方向に沿って動かされるプロセスの間に、前記係合部材は前記伸長部を通じて前記第２のガイド部よりガイドされ、
前記解除要素は直線部をさらに含み、前記ブロック部及び前記直線部は前記第１のガイド部と前記第２のガイド部との間に位置する、請求項８に記載のスライドレールアセンブリ。
【請求項１０】
第１の物体に取り付けられるように構成された第１のレールと、
第２のレールと、
第２の物体を保持するように構成された第３のレールと、
を含むスライドレールアセンブリであって、
前記第２のレールは前記第１のレールと前記第２のレールとの間に可動に取り付けられ、
前記第２のレールは前記第１のレールから第１の方向に沿って取り外し可能である、スライドレールアセンブリ。
【請求項１１】
前記第１のレール及び前記第２のレールにそれぞれ設けられる第１のブロック要素及び第２のブロック要素をさらに含み、
前記第２のレールが前記第１のレールに対して第１のオープン位置に前記第１の方向に沿って動かされると、前記第２のブロック要素は、前記第２のレールが前記第１のオープン位置から前記第１の方向に沿って移動するのを防止するために前記第１のブロック要素によってブロックされ、
前記第１のブロック要素及び第２のブロック要素のうちの一方は、前記第２のブロック要素がもはや前記第１のブロック要素によってブロックされていない状態にある場合に、前記第２のレールが前記第１のオープン位置から前記第１の方向に沿って移動して前記第１のレールからさらに取り外されるようにするために他方から離れるよう操作されるように構成されている、請求項１０に記載のスライドレールアセンブリ。
【請求項１２】
前記第２のレール及び前記第３のレールにそれぞれ設けられる第３のブロック要素及び第４のブロック要素をさらに含み、
前記第３のレールが前記第２のレールに対して第２のオープン位置に前記第１の方向に沿って動かされると、前記第４のブロック要素は、前記第３のレールが前記第２のオープン位置から前記第１の方向に沿って移動するのを防止するために前記第３のブロック要素によってブロックされ、
前記第３のブロック要素及び第４のブロック要素のうちの一方は、前記第４のブロック要素がもはや前記第３のブロック要素によってブロックされていない状態にある場合に、前記第３のレールが前記第２のオープン位置から前記第１の方向に沿って移動して前記第２のレールからさらに取り外されるようにするために、他方から離れるよう操作されるように構成されている、請求項１１に記載のスライドレールアセンブリ。
【発明の詳細な説明】
【技術分野】
【０００１】
本発明はスライドレールアセンブリに関し、より具体的には、別のレールから取り外し可能な２つのレールを有するスライドレールアセンブリに関する。
【背景技術】
【０００２】
一般に、スライドレールアセンブリは第１のレール、第２のレール及び第３のレールを通常含む。第２のレールは第１のレールと第３のレールとの間で可動に取り付けられる。現在の技術では、第３のレールは物体を保持するように構成されている。そのため、ユーザーが物体（又は第３のレール）にメンテナンスを行うことができるようにするのに第３のレールしか他の２つのレール（即ち、第１のレール及び第２のレール）から取り外すことができない。しかしながら、現在の技術によれば、そのようなスライドレールアセンブリは特定の市場の要求を満たすことができない。
【先行技術文献】
【特許文献】
【０００３】
【特許文献１】米国特許第９６７５１７５号明細書
【特許文献２】米国特許第９２７９２８０号明細書
【発明の概要】
【発明が解決しようとする課題】
【０００４】
本発明は、別のレールから取り外し可能な２つのレールを有するスライドレールアセンブリに関する。
【課題を解決するための手段】
【０００５】
本発明の一実施形態によれば、スライドレールアセンブリは第１のレール、第２のレール及び第３のレールを含む。第１のレールは第１のブロック要素を備える。第２のレールは第２のブロック要素を備えるとともに、第１のレールに対して可動である。第３のレールは第２のレールに対して可動である。第２のレールは第１のレールと第３のレールとの間で可動に取り付けられる。第２のレールが第１のレールに対して第１の方向に沿って第１のオープン位置（open  position）に動かされた場合、第２のブロック要素は、第２のレールが第１のオープン位置から第１の方向に沿って移動するのを防止するために第１のブロック要素によってブロックされる。第１のブロック要素及び第２のブロック要素のうちの一方は、第２のブロック要素がもはや第１のブロック要素によってブロックされていない状態にある場合に、第２のレールが第１のオープン位置から第１の方向に沿って移動して第１のレールからさらに取り外されるようにするために他方から離れるよう操作されるように構成されている。
【０００６】
本発明の別の実施形態によれば、スライドレールアセンブリは第１のレール、第２のレール及び第３のレールを含む。第１のレールは第１の物体に取り付けられるように構成されている。第３のレールは第２の物体を保持するように構成されている。第２のレールは第１のレールと第３のレールとの間で可動に取り付けられる。第２のレールは第１のレールから第１の方向に沿って取り外し可能である。
【０００７】
様々な図面に図示する下記の好ましい実施形態の詳細な説明を読み終えた後、本発明の上記の目的及び他の目的が当業者に間違いなく明らかになる。
【図面の簡単な説明】
【０００８】
【図１】図１は、本発明の一実施形態に係る、２つの物体に適用可能なスライドレールアセンブリを示す図である。
【図２】図２は、本発明の一実施形態に係る、第１のレール及び第２のレールを含むスライドレールアセンブリの分解図であり、第１のレールは第１の物体に取り付けられるように構成されている。
【図３】図３は、本発明の一実施形態に係る、２つの物体に適用可能なスライドレールアセンブリを示す図である。
【図４】図４は、図３の領域Ａの拡大図である。
【図５】図５は、本発明の一実施形態に係る、スライドレールアセンブリの第３のレールの分解図であり、第３のレールは第２の物体に取り付けられるように構成されている。
【図６】図６は、本発明の一実施形態に係る、第２の物体を取り付けるように構成されたスライドレールアセンブリの第３のレールの一部を示す図である。
【図７】図７は、本発明の一実施形態に係る、引っ込められた状態にあるスライドレールアセンブリを示す図である。
【図８】図８は、本発明の一実施形態に係る、第１のレールに対して第１の方向に沿って同期的に動かされたスライドレールアセンブリの第２のレール及び第３のレールを示す図である。
【図９】図９は、本発明の一実施形態に係る、第１のレールに対して第１の方向に沿ってさらに同期的に動かされたスライドレールアセンブリの第２のレール及び第３のレールを示す図である。
【図１０】図１０は、本発明の一実施形態に係る、第１のレールに対して第１の方向に沿ってもはや同期的に移動しないが個々には移動可能なスライドレールアセンブリの第２のレール及び第３のレールを示す図である。
【図１１】図１１は、本発明の一実施形態に係る、第２のブロック要素が第１のブロック要素によってブロックされた状態で第１のレールに対して第１のオープン位置に位置するスライドレールアセンブリの第２のレールを示す図である。
【図１２】図１２は、本発明の一実施形態に係る、第１のブロック要素によってブロックされたスライドレールアセンブリの第２のブロック要素を示す図である。
【図１３】図１３は、本発明の一実施形態に係る、第２のブロック要素が第１のブロック要素によってもはやブロックされていない状態で第１のレールに対して第１のオープン位置に位置するスライドレールアセンブリの第２のレールを示す図である。
【図１４】図１４は、本発明の一実施形態に係る、第１のブロック要素によってもはやブロックされていない第２のブロック要素を示す図である。
【図１５】図１５は、本発明の一実施形態に係る、第１のレールから取り外されたスライドレールアセンブリの第２のレール及び第３のレールを示す図である。
【図１６】図１６は、本発明の一実施形態に係る、第４のブロック要素が第３のブロック要素によってブロックされた状態で第２のレールに対して第２のオープン位置に位置するスライドレールアセンブリの第３のレールを示す図である。
【図１７】図１７は、本発明の一実施形態に係る、第４のブロック要素が第３のブロック要素によってもはやブロックされていない状態で第２のレールに対して第２のオープン位置に位置するスライドレールアセンブリの第３のレールを示す図である。
【図１８】図１８は、本発明の一実施形態に係る、第２のレールから取り外されたスライドレールアセンブリの第３のレールを示す図である。
【図１９】図１９は、本発明の一実施形態に係る、第１のレールに対して第２の方向に沿って引っ込められたスライドレールアセンブリの第２のレール及び第３のレールを示す図である。
【図２０】図２０は、本発明の一実施形態に係る、第１のレールに対して第２の方向に沿ってさらに引っ込められたスライドレールアセンブリの第２のレール及び第３のレールを示す図である。
【図２１】図２１は、本発明の一実施形態に係る、第１のレールに対して第２の方向に沿ってさらに引っ込められたスライドレールアセンブリの第２のレールを示す図である。
【図２２】図２２は、本発明の一実施形態に係る、第２のレールが第１のレールに対して第２の方向に沿って所定位置に動かされた場合にブロックされたスライドレールアセンブリの第２のレールを示す図である。
【図２３】図２３は、本発明の一実施形態に係る、第２のレールが第１のレールに対して第２の方向に沿って所定位置に動かされた場合にブロックされたスライドレールアセンブリの第２のレールを示す図であり、第３のレールは第２のレールを第１のレールから外す。
【図２４】図２４は、本発明の一実施形態に係る、第１のレールに対して第２の方向に沿ってさらに引っ込められたスライドレールアセンブリの第２のレール及び第３のレールを示す図である。
【発明を実施するための形態】
【０００９】
図１は、本発明の一実施形態に係る、第１のレール２２、第２のレール２４及び第３のレール２６を含むスライドレールアセンブリ２０を示す図である。第２のレール２４は第１のレール２２と第２のレール２４との間で可動に取り付けられている。一実施形態によれば、第１のレール２２は第１の物体２８に取り付けられるように構成され、第３のレール２６は第２の物体３０を保持するように構成されている。第１の物体２８は第１のシャーシ（又は第１の筐体）であり、第２の物体３０は第２のシャーシ（又は第２の筐体）であり得る。あるいは、第１の物体２８はキャビネットで、第２の物体３０は引き出しであってもよい。しかしながら、本発明は限定されない。そのような構成によれば、第３のレール２６は第１のレール２２及び／又は第２のレール２４に対して動かすことができるため、第２の物体３０を第１の物体２８から引き出すこと又は第１の物体２８内に押し込むことができる。
【００１０】
図２及び図３に示すように、第１のレール２２は第１の物体２８にリベット留め、ネジ留め又は係合により固定することができる。本実施形態では、第１のレール２２は複数の連結部材３１により第１の物体２８に固定されている。第１のレール２２は第１の壁３２ａ、第２の壁３２ｂ及び第１の壁３２ａと第２の壁３２ｂとの間に連結された側壁３４を含む。第１のレール２２の第１の壁３２ａ、第２の壁３２ｂ及び側壁３４により第１の通路３６が定義されている。加えて、第１のレール２２は前部３７ａ及び後部３７ｂを有する。さらに、スライドレールアセンブリ２０は第１のブロック要素３８及び解除要素４０をさらに含む。本実施形態では、第１のブロック要素３８は第１のレール２２の前部３７ａに隣接し、解除要素４０は第１のレール２２の後部３７ｂに隣接している。具体的には、第１のブロック要素３８は第１のレール２２の側壁３４に固定された追加の部品であってもよいし、第１のレール２２の側壁３４と一体的に形成されていてもよい。したがって、第１のブロック要素３８は第１のレール２２の一部と見なすことができる。本発明では、第１のブロック要素３８は突起である。他方、解除要素４０は第１のレール２２の側壁３４に固定された追加の部品であってもよいし、第１のレール２２の側壁に一体的に形成されていてもよい。したがって、解除要素４０は第１のレール２２の一部と見なすことができる。解除要素４０及び第１のブロック要素３８は互いに離間されている。解除要素４０は第１のガイド部４２と、直線部４４と、ブロック部４６と第２のガイド部４８を含むことが好ましい。第１のガイド部４２及び第２のガイド部４８のそれぞれは傾斜面又は湾曲面を有することが好ましい。他方、直線部４４及びブロック部４６は第１のガイド部４２及び第２のガイド部４８の間に位置する。ブロック部４６と直線部４４との間に段が形成されている。
【００１１】
第２のレール２４は第１のレール２２の第１の通路３６内に取り付けられている。具体的には、第２のレール２４は第１の壁５０ａ、第２の壁５０ｂ及び第１の壁５０ａと第２の壁５０ｂとの間に連結された側壁５２を含む。第２のレール２４の第１の壁５０ａ、第２の壁５０ｂ及び側壁５２によって第２の通路５４が定義されている。加えて、第２のレール２４は前部５５ａ及び後部５５ｂを有する。第２のレール２４は第１のレール２２と対向する貫通孔５６及び開口５８を含むことが好ましい。スライドレールアセンブリ２０は第２のブロック要素６０及び操作部材６２（図４を参照されたい）をさらに含むことが好ましい。第２のブロック要素６０は第２のレール２４に設けられた追加の要素であってもよいし、第２のブロック要素６０は操作して動かすことができる。第２のブロック要素６０は貫通孔５６を貫通する。具体的には、第２のブロック要素６０は本体部６４、少なくとも１つの伸長脚部６６及び当接部６８を含む。例えば、当接部６８は本体部６４と少なくとも１つの伸長脚部６６との間に位置し、少なくとも１つの伸長脚部６６は当接部６８に対して屈曲されている。他方、操作部材６２は第２のレール２４に操作可能に連結されている。操作部材６２は第２のブロック要素６０を駆動して動かすために操作されるように構成されている。例えば、操作部材６２は弾性部品である。操作部材６２は第２のレール２４の側壁５２に固定された連結部７０と、操作部材６２の連結部７０に連結された弾性部７２とを有する。弾性部７２は内部で第２のブロック要素６０の伸長脚部６６を延在させることができる取り付け孔７４を有する。操作部材６２の弾性部７２は第２のブロック要素６０の伸長脚部６６を支持するように構成されている。スライドレールアセンブリ２０は、第２のレール２４に取り付けられ、第２のレール２４の後部５５ｂに隣接する係合部材７６をさらに含む。例えば、係合部材７６はシャフト部材７８によって第２のレール２４の側壁５２に枢結されている。スライドレールアセンブリ２０は、係合部材７６に弾性力を提供するように構成された弾性部材７９をさらに含む。係合部材７６は伸長部８３と、伸長部８３に隣接する係合部８１とを含む。伸長部８３は第２のレール２４の開口５８を貫通する。スライドレールアセンブリ２０は少なくとも１つの第３のブロック要素８５をさらに含むことが好ましい。例えば、少なくとも１つの第３のブロック要素８５は、第２のレール２４の側壁５２に配置されるとともに、第２のレール２４の前部５５ａに隣接する突起であり得る。第２のブロック要素６０は、少なくとも１つの第３のブロック要素８５と係合部材７６との間に位置する。
【００１２】
図３及び図５に示すように、第３のレール２６は第２のレール２４の第２の通路５４内に取り付けられている。具体的には、第３のレール２６は第１の壁８４ａ、第２の壁８４ｂ及び第１の壁８４ａと第２の壁８４ｂとの間に連結された側壁８６を含む。加えて、第３のレール２６は前部８７ａ及び後部８７ｂを有する。第３のレール２６は第２の物体３０を取り付けるように構成されている。例えば、第３のレール２６の側壁８６は第２の物体３０の複数の取り付け部材９０を取り付けるための複数の取り付け孔８８を有する。取り付け孔８８は互いに離間し、各取り付け孔８８は第１の孔部８８ａと、第1の孔部８８ａと連通する第２の孔部８８ｂとを含むことが好ましい。第１の孔部８８ａの直径は第２の孔部８８ｂの直径よりも大きい。他方、第２の物体３０の各取り付け部材９０は取り付け孔８８のうちの対応する１つに取り付けられる。例えば、各取り付け部材９０は第１の孔部８８ａを通じて第２の孔部８８ｂに入ることができる。取り付け部材９０のうちの１つは保持部材９２（図６を参照されたい）により第２の孔部８８ｂで保持できる。具体的には、保持部材９２は第３のレール２６に動作可能に連結されている。例えば、保持部材９２は弾性部品であり、保持部材９２は第３のレール２６の側壁８６に固定された連結部９４と、保持部材９２の連結部９４に連結された弾性部９６と、保持部材９２の連結部９４と弾性部９６との間に位置する受容孔９８とを有する。弾性部９６は第１の孔部８８ａに対応する位置に位置し、受容孔９８は第２の孔部８８ｂに対応する位置に位置している。さらに、図５に示すように、スライドレールアセンブリ２０は、第３のレール２６に配置された第４のブロック要素１００及び第５のブロック要素１０２をさらに含む。第４のブロック要素１００及び第５のブロック要素１０２は動作可能に第３のレール２６に連結されていることが好ましい。本実施形態では、第４のブロック要素１００及び第５のブロック要素１０２の双方は弾性部品であり、第４のブロック要素１００及び第５のブロック要素１０２は第３のレール２６の後部８７ｂに隣接している。具体的には、第４のブロック要素１００は第３のレール２６の側壁８６に固定された連結部１０４と、第４のブロック要素１００の連結部１０４に連結された弾性部１０６とを有する。第４のブロック要素１００の弾性部１０６は第１のブロック区画１０７を有する。他方、第５のブロック要素１０２は第３のレール２６の側壁８６に固定された連結部１０８と、第５のブロック要素１０２の連結部１０８に連結された弾性部１１０とを有する。第５のブロック要素１０２の弾性部１１０は第２のブロック区画１１１を有する。第５のブロック要素１０２の弾性部１１０及び第４のブロック要素１００の弾性部１０６はお互いに支え合うように構成されている。第３のレール２６は、第５のブロック要素１０２の弾性部１１０及び第４のブロック要素１００の弾性部１０６に対応する位置に位置する受容ポート１１３をさらに含むことが好ましい。第３のレール２６は開口１１２と、開口１１２の周囲の少なくとも１つのレール壁１１４とをさらに含むことが好ましい。開口１１２は第３のレール２６の第２の壁８４ｂ��隣接している。
【００１３】
図７に示すように、係合部材７６を第２のレール２４に対して第１の状態Ｓ１で保持するために、係合部材７６の伸長部８３は第２のレール２４の開口５８を貫通し、弾性部材７９は第２のレール２４の係合部材７６と支持壁１１６との間に位置している。さらに、スライドレールアセンブリ２０が引っ込められた状態にある場合、第２のレール２４は第１のレール２２に対して後退位置に位置している。他方、第３のレール２６も第２のレール２４に対して後退位置Ｒに位置している。係合部材７６は駆動されて、第３のレール２６の第１の壁８４ａ及び第２の壁８４ｂのうちの１つ（第２の壁８４ｂ等）と当接し、弾性部材７９によって第１の状態Ｓ１で保持される。その間、弾性部材７９は弾性力を蓄積する。
【００１４】
図８に示すように、第３のレール２６が第２のレール２４に対して後退位置Ｒから第１の所定の位置Ｐ１に第１の方向Ｄ１（開く方向等）に沿って動かされると、第２のレール２４及び第３のレール２６が第１のレール２２に対して第１の方向Ｄ１に沿って同期的に動かすことができるように係合部材７６は第３のレール２６と係合するように構成されている。具体的には、第３のレール２６が第２のレール２４に対して第１の所定の位置Ｐ１に位置している場合、係合部材７６は、弾性部材７９の弾性力によって第１の状態Ｓ１から第２の状態Ｓ２に回転される。そのため、係合部材７６の係合部８１は第３のレール２６の開口１１２に入って少なくとも１つのレール壁１１４に対応する位置に位置する。
【００１５】
図９及び図１０に示すように、係合部材７６が第３のレール２６と係合すると、第２のレール２４は第３のレール２６によって駆動されて同期的に移動する。即ち、第２のレール２４及び第３のレール２６は第１のレール２２に対して第１の方向Ｄ１に沿って同期的に移動できる。第２のレール２４及び第３のレール２６が第２の所定の位置Ｐ２に同期的に動かされると、第１のレール２２の解除要素４０は係合部材７６を第３のレール２６から外すように構成されている。具体的には、第２のレール２４及び第３のレール２６が同期的に動かされるプロセスの間、係合部材７６の伸長部８３は、解除要素４０の第１のガイド部４２、直線部４４、ブロック部４６及び第２のガイド部４８に沿って連続的に移動できる。例えば、第２のレール２４が第１のレール２２に対して第２の所定の位置Ｐ２に動かされると、係合部材７６は、伸長部８３を通じて第１のガイド部４２によってガイドされて、もはや第２の状態Ｓ２にないようにされ（係合部材７６が第１の状態Ｓ１に戻る等）、係合部材７６の係合部８１が第３のレール２６の開口１１２から外れる。
【００１６】
図１１に示すように、係合部材７６の係合部８１が第３のレール２６の開口１１２から外れた後、第２のレール２４はもはや第３のレール２６と同期的に移動しない。第３のレール２６は第２のレール２４に対して第１の方向Ｄ１に沿って移動可能である。
【００１７】
図１１及び図１２に示すように、操作部材６２及び第２のブロック要素６０は第１の操作状態Ｘ１にある。第２のブロック要素６０の伸長脚部６６は操作部材６２の弾性部７２に配置されている。第２のレール２４が第１のレール２２に対して第１のオープン位置Ｅ１に第１の方向Ｄ１に沿って動かされると、第２のブロック要素６０の当接部６８は、第２のレール２４が第１のレール２２に対して第１のオープン位置Ｅ１から第１の方向Ｄ１に沿って移動するのを防止するために第１のレール２２の第１のブロック要素３８によってブロックされる。
【００１８】
図１３及び図１４に示すように、第２のレール２４の第２のブロック要素６０の当接部６８が第１のレール２２の第１のブロック要素３８によってブロックされると、第２のブロック要素６０は操作して動かすことができる。例えば、ユーザーは、第２のブロック要素６０を駆動して第１の操作状態Ｘ１から第２の操作状態Ｘ２に動かして第２のブロック要素６０の当接部６８が第１のブロック要素３８によってもはやブロックされていないようにするために、操作部材６２の弾性部７２に力Ｆを加えることができる。本実施形態では、第２のブロック要素６０は第１のブロック要素３８から離れるよう操作されるように構成されている。しかしながら、代替的な実施形態では、第１のブロック要素３８は、第２のブロック要素６０が第１のブロック要素３８によってもはやブロックされないようにするために、第２のブロック要素６０から離れるように操作することができる。
【００１９】
図１５に示すように、第２のブロック要素６０が第１のブロック要素３８によってもはやブロックされていない場合、第２のレール２４は、第１のレール２２の第１の通路３６から取り外すために第１のレール２２に対して第１のオープン位置Ｅ１から第１の方向Ｄ１に沿って動かすことができる。
【００２０】
図１６及び図１７に示すように、第３のレール２６は第２のレール２４に対して第１の方向Ｄ１に沿って動かすことができる。第３のレール２６が第２のオープン位置Ｅ２に動かされた場合、第４のブロック要素１００は、第３のレール２６が第２のオープン位置Ｅ２から第１の方向Ｄ１に沿って移動するのを防止するために少なくとも１つの第３のブロック要素８５によってブロックされる。具体的には、第３のレール２６が第２のレール２４に対して第２のオープン位置Ｅ２に動かされると、第４のブロック要素１００の弾性部１０６の第１のブロック区画１０７が少なくとも１つの第３のブロック要素８５によってブロックされる。第３のレール２６が第２のレール２４に対して第２のオープン位置Ｅ２に位置している場合、第４のブロック要素１００の第１のブロック区画１０７及び第５のブロック要素１０２の第２のブロック区画１１１はそれぞれ少なくとも１つの第３のブロック要素８５の２つの対向する側にそれぞれ位置している。第４のブロック要素１００は、第３のブロック要素８５によってもはやブロックされない状態になるように少なくとも１つの第３のブロック要素８５から離れるように操作することができる。例えば、ユーザーは、第４のブロック要素１００の弾性部１０６の第１のブロック区画１０７が少なくとも１つの第３のブロック要素８５によってもはやブロックされない状態にするために、第４のブロック要素１００の弾性部１０６及び／又は第５のブロック要素１０２の弾性部１１０に力Ｆを加えることができる。本実施形態では、第４のブロック要素１００を少なくとも１つの第３のブロック要素８５から離れるように操作することができる。しかしながら、代替的な実施形態では、少なくとも１つの第３のブロック要素８５は、第４のブロック要素１００が少なくとも１つの第３のブロック要素８５によってもはやブロックされていない状態にするために第４のブロック要素１００から離れるように操作することができる。
【００２１】
図１８に示すように、第４のブロック要素１００が少なくとも１つの第３のブロック要素８５によってもはやブロックされていない場合、第３のレール２６は、第２のレール２４の第２の通路５４から取り外すために第２のレール２４に対して第２のオープン位置Ｅ２から第１の方向Ｄ１に沿って動かすことができる。
【００２２】
図１９及び図２０に示すように、第２のレール２４及び第３のレール２６を第１のレール２２に再度取り付けることができる。第２のレール２４及び第３のレール２６を第１のレール３３に対して第２の方向Ｄ２（引っ込める方向等）に沿って動かすプロセスの間、係合部材７６は伸長部８３を通じて解除要素４０の第２のガイド部４８によりガイドされて解除要素４０に沿って動かすことができる。
【００２３】
図２１及び図２２に示すように、第２のレール２４が第１のレール２２に対して第２の方向Ｄ２に沿ってさらに動かされるプロセスの間、係合部材７６の伸長部８３は解除要素４０に沿ってさらに動かされる。第２のレール２４が第３の所定の位置Ｐ３に動かされると、係合部材７６の伸長部８３は、第２のレール２４が第１のレール２２に対して第２の方向Ｄ２に沿って移動するのを防止するために解除要素４０のブロック部４６によってブロックすることができる。
【００２４】
図２３及び図２４に示すように、係合部材７６の伸長部８３は解除要素４０のブロック部４６によってブロックされる。第３のレールが第２のレール２４に対して第２の方向Ｄ２に沿って動かされるプロセスの間、第３のレール２６の後部８７ｂは、係合部材７６の伸長部８３が解除要素４０のブロック部４６によってもはやブロックされていない状態にするために、係合部材７６を回転させるために係合部８１と当接する。即ち、第２のレール２４は第１のレール２２に対して第２の方向Ｄ２に沿って動かすことができる。したがって、第２のレール２４及び第３のレール２６の双方は第１のレール２２に対して第２の方向Ｄ２に沿って引っ込めることができる。
【００２５】
したがって、本発明のスライドレールアセンブリは以下のように特徴付けられる。
【００２６】
１）ユーザーがスライドレール及び／又は物体を維持するのを支援するために、第２のレール２４及び第３のレール２６を第１のレール２２から取り外すこと又は第１のレール２２に取り付けることができる。
【００２７】
２）ユーザーがスライドレール及び／又は物体を維持するのを支援するために、第３のレール２６を第２のレール２４から取り外すこと又は取り付けることができる。
【００２８】
３）第２のレール２４及び第３のレール２６は、第１のレール２２に対して第１の方向Ｄ１に沿って所定の移動距離同期的に動かすことができる。そのような構成によれば、第３のレール２６が物体を保持し、第２のレール２４及び第３のレール２６は、支持強度を高めるために物体の重さを共有できる
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００２９】
２０  スライドレールアセンブリ
２２  第１のレール
２４  第２のレール
２６  第３のレール
２８  第１の物体
３０  第２の物体
３２ａ、３２ｂ  壁
３４  側壁
３６  第１の通路
３８  第１のブロック要素
４０  解除要素
４２  第１のガイド部
４４  直線部
４６  ブロック部
４８  第２のガイド部
５０ａ、５０ｂ  壁
５２  側壁
５４  第２の通路
５６  貫通孔
５８  開口
６０  第２のブロック要素
６２  操作部材
６４  本体部
６６  伸長脚部
６８  当接部
７０  連結部
８５  第３のブロック要素
１００  第４のブロック要素
１０２  第５のブロック要素
【図１】
2018187347.tif 000003
【図２】
2018187347.tif 000004
【図３】
2018187347.tif 000005
【図４】
2018187347.tif 000006
【図５】
2018187347.tif 000007
【図６】
2018187347.tif 000008
【図７】
2018187347.tif 000009
【図８】
2018187347.tif 000010
【図９】
2018187347.tif 000011
【図１０】
2018187347.tif 000012
【図１１】
2018187347.tif 000013
【図１２】
2018187347.tif 000014
【図１３】
2018187347.tif 000015
【図１４】
2018187347.tif 000016
【図１５】
2018187347.tif 000017
【図１６】
2018187347.tif 000018
【図１７】
2018187347.tif 000019
【図１８】
2018187347.tif 000020
【図１９】
2018187347.tif 000021
【図２０】
2018187347.tif 000022
【図２１】
2018187347.tif 000023
【図２２】
2018187347.tif 000024
【図２３】
2018187347.tif 000025
【図２４】
2018187347.tif 000026